(57)【要約】【課題】  光記録媒体の記録容量や未記録容量の確認を容易にする。【解決手段】  本発明による光記録媒体１０は、光入射面１１ａ側からレーベル面１１ｂを視認可能なディスク本体１１と、ディスク本体１１のレーベル面１１ｂ側に設けられ、記録領域と未記録領域との視認可能な境界に基づいて記録容量に関する情報及び空き容量に関する情報の少なくとも一方を示す目盛り表示１１ｃとを備える。これにより、ディスク本体１１を一見するだけで記録容量に関する情報や空き容量に関する情報を容易に把握することができる。また、ディスク本体１１の透明度が極めて高いと表裏の識別が困難となり、ドライブに光記録媒体１０を誤って裏返しに挿入するといった危険性を生じさせる可能性があるが、本発明ではこのような問題を低減することも可能となる。【選択図】          図１
2006031791.tif 000002
【特許請求の範囲】
【請求項１】
光入射面側からレーベル面を視認可能なディスク本体と、前記ディスク本体の前記レーベル面側に設けられ、記録領域と未記録領域との視認可能な境界に基づいて記録容量に関する情報及び空き容量に関する情報の少なくとも一方を示す目盛り表示とを備えていることを特徴とする光記録媒体。
【発明の詳細な説明】
【技術分野】
【０００１】
本発明は光記録媒体に関し、特に、光入射面側からレーベル面を視認可能な光記録媒体に関する。
【背景技術】
【０００２】
従来より、デジタルデータを記録するための記録媒体として、ＣＤ（Compact Disc）やＤＶＤ（Digital Versatile Disc）に代表される光記録媒体が広く利用されている。これらの光記録媒体は、ＣＤ−ＲＯＭやＤＶＤ−ＲＯＭのようにデータの追記や書き換えができないタイプの光記録媒体（ＲＯＭ型光記録媒体）、ＣＤ−ＲやＤＶＤ−Ｒのようにデータの追記はできるがデータの書き換えができないタイプの光記録媒体（追記型光記録媒体）、さらには、ＣＤ−ＲＷやＤＶＤ−ＲＷのようにデータの書き換えが可能なタイプの光記録媒体（書き換え型光記録媒体）に大別することができる。
【０００３】
これらの光記録媒体に対するデータの記録や再生には、いずれもレーザビームが用いられることから、光記録媒体にはレーザビームを反射するための「反射層」が一般に設けられる。反射層の材料としては、アルミニウム（Ａｌ）や銀（Ａｇ）を主成分とする合金など、反射率の高い金属材料が用いられることが多く、このため、光入射面側からレーベル面は視認できないのが通常である（特許文献１）。
【特許文献１】特開平１−１２８２３４号公報
【発明の開示】
【発明が解決しようとする課題】
【０００４】
上述した光記録媒体の中でも、追記型光記録媒体や書き換え型光記録媒体では、記録層の材料として有機色素や相変化材料が用いられているため、データが書き込まれた領域が変色し、データの記録領域と未記録領域との境界が光入射面からはっきりと視認することができる。しかしながら、そのような境界が視認できたとしても、実際にどのくらいのデータ量が記録されているのか、また未記録容量がどのくらいあるのかということは、光記録媒体そのものを一見しただけでは判断できない。そのため、通常は、光記録媒体を記録再生装置（ドライブ）にセットし、コンピュータからの操作により光記録媒体に記録されているすべてのデータの容量を計算して確認する必要があった。
【０００５】
したがって、本発明の目的は、記録容量や未記録容量を容易に確認することが可能な光記録媒体を提供することである。
【課題を解決するための手段】
【０００６】
本発明による光記録媒体は、光入射面側からレーベル面を視認可能なディスク本体と、前記ディスク本体の前記レーベル面側に設けられ、記録領域と未記録領域との視認可能な境界に基づいて記録容量に関する情報及び空き容量に関する情報の少なくとも一方を示す目盛り表示とを備えていることを特徴とする。
【０００７】
このように、本発明による光記録媒体は目盛り表示を備えていることから、ディスク本体を一見するだけで記録容量に関する情報や空き容量に関する情報を容易に把握することができる。また、ディスク本体の透明度が極めて高いと表裏の識別が困難となり、ドライブに光記録媒体を誤って裏返しに挿入するといった危険性を生じさせる可能性があるが、本発明ではこのような問題を低減することが可能となる。
【０００８】
目盛り表示は、ディスク本体の径方向に沿って所定の間隔ごとに設けられたマークと数字との組み合わせを含むことが好ましい。これによれば、記録容量に関する情報として、記録されたコンテンツのサイズ、記録されたコンテンツの収録時間、記録割合等を表示することが可能となり、また、空き容量に関する情報として、記録可能なコンテンツのサイズ、収録可能なコンテンツの時間、未記録割合等を表示することが可能となる。
【０００９】
本発明による光記録媒体は、レーベル面に形成された印刷層をさらに備えていることが好ましく、この場合、印刷層は目盛り表示に重ねて設けられていることが好ましい。これによれば、レーベル面側に所望のデザインを与えることが可能となるばかりでなく、目盛り表示の視認性を高めることも可能となる。
【００１０】
また、印刷層は、光入射面側から視認可能な第１の印刷層と、光入射面とは反対側から視認可能な第２の印刷層とを含んでいることもまた好ましい。これによれば、例えば、第１の印刷層の印刷内容と第２の印刷層の印刷内容を互いに異ならせることにより、光記録媒体の表と裏で異なるデザインとすることができる。また、第１及び第２の印刷層の少なくとも一方にディスク本体の表裏を識別可能な文字又は図形を印刷すれば、ディスク本体がほぼ透明であるにもかかわらず、表裏を容易に識別することも可能となる。
【発明の効果】
【００１１】
このように、本発明によれば、ディスク本体を一見するだけで記録容量に関する情報や空き容量に関する情報を容易に把握することができる。また、ディスク本体がほぼ透明であるにもかかわらず表裏の識別が容易であることから、ドライブに光記録媒体を誤って裏返しに挿入するといった危険性を低減することも可能となる。
【発明を実施するための最良の形態】
【００１２】
以下、添付図面を参照しながら、本発明の好ましい実施の形態について詳細に説明する。
【００１３】
図１は、本発明の好ましい実施形態による光記録媒体１０の外観を模式的に示す切り欠き斜視図である。
【００１４】
本実施形態による光記録媒体１０は、外径が約１２０ｍｍ、厚みが約１．２ｍｍである円盤状の光記録媒体であり、図１に示すように、ディスク本体１１と、ディスク本体１１のレーベル面１１ｂに設けられた目盛り表示１１ｃとを備えて構成されている。また、光記録媒体１０の中心部には中心孔１４が設けられている。
【００１５】
ディスク本体１１は、記録時及び／又は再生時にレーザビームが照射される光入射面１１ａとその裏面であるレーベル面１１ｂとを有しており、光入射面１１ａ側からレーベル面１１ｂが視認可能な程度の透明度を有している。ディスク本体１１の種類については特に限定されず、ＣＤ−ＲＯＭ、ＣＤ−Ｒ、ＣＤ−ＲＷ等のＣＤ型ディスク、ＤＶＤ−ＲＯＭ、ＤＶＤ−Ｒ、ＤＶＤ−ＲＷ等のＤＶＤ型ディスク、さらには、青色波長領域のレーザビームが用いられる次世代型の光ディスクを用いることが可能である。但し、光入射面１１ａ側からレーベル面１１ｂが視認可能な程度の透明度を持たせるためには、ＤＶＤ型ディスク又は次世代型の光ディスクを用いることが好ましく、なかでも、次世代型の光ディスクを用いることが特に好ましい。これは、ＤＶＤ型ディスクや次世代型の光ディスク、特に次世代型の光記録媒体では、求められる反射率が相対的に低いからである。
【００１６】
図２は、本発明の適用が可能なディスク本体１１のいくつかの例を示す図であり、（ａ）は次世代型ディスク、（ｂ）はＤＶＤ型ディスクの断面をそれぞれ示している。
【００１７】
図２（ａ）に示すように、次世代型ディスクは、一方の面がレーベル面１１ｂとなる厚さ約１．１ｍｍの支持基板２１と、支持基板２１の他方の面に設けられた機能層２２と、機能層２２を覆う厚さ約０．１ｍｍの光透過層２３とを備え、光透過層２３の表面が光入射面１１ａとなる。したがって、ディスク本体１１として図２（ａ）に示す次世代型のディスクを用いる場合には、支持基板２１の表面（レーベル面１１ｂ）に目盛り表示１１ｃが設けられることになる。
【００１８】
支持基板２１の材料としては、可視光領域において透明な材料を用いる必要がある。可視光領域において透明な材料としては、ポリカーボネート樹脂、ポリオレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等の樹脂を好ましく挙げることができる。中でも、優れた加工性を有する等の理由から、ポリカーボネート樹脂又はポリオレフィン樹脂を用いることが特に好ましい。
【００１９】
一方、光透過層２３の材料としては、可視光領域において透明であるとともに、記録・再生時に照射されるレーザビームの光路となることからレーザビームの波長領域（例えば約４０５ｎｍ）において透明な材料を用いる必要がある。このような材料としては、アクリル系又はエポキシ系の紫外線硬化性樹脂を好ましく挙げることができる。また、紫外線硬化性樹脂を硬化させてなる膜のかわりに、光透過性樹脂からなる光透過性シートと各種接着剤や粘着剤を用いて光透過層２３を形成してもよい。
【００２０】
機能層２２の構造や材料はディスクの種類によって異なる。つまり、ＲＯＭ型ディスクの場合、機能層２２は、図３に示すように反射層２２ａによって構成することができ、追記型ディスクの場合、機能層２２は、図４に示すように反射層２２ａとその表面に設けられた記録層２２ｂによって構成することができ、書き換え型ディスクの場合、機能層２２は、図５に示すように記録層２２ｂと、これを挟んで設けられた複数の誘電体層２２ｃと、反射層２２ａとによって構成することができる。
【００２１】
本発明では、光入射面１１ａ側からレーベル面１１ｂが視認可能であることが必要であるため、いずれの層も透明度の高い材料を選択する必要がある。したがって、反射層２２ａの材料については、アルミニウム（Ａｌ）や銀（Ａｇ）を主成分とする合金など、反射率の高い金属材料ではなく、シリコン（Ｓｉ）や酸化チタン（ＴｉＯ２）など、所定以上の反射率を有し且つ透過率の高い材料を選択するか、或いは省略することが好ましい。記録層２２ｂについては、追記型ディスクの場合、誘電体母材（ＺｎＳとＳｉＯ２の混合物など）にマグネシウム（Ｍｇ）及び／又はアルミニウム（Ａｌ）が添加された材料や、ビスマス（Ｂｉ）と酸素（Ｏ）を主成分とする材料を用いることが好ましく、書き換え型ディスクの場合には、相変化材料を用いることが好ましい。誘電体層２２ｃについては、ＺｎＳとＳｉＯ２の混合物など透明な誘電体材料を用いることが好ましい。このような材料を選択すれば、ディスク本体１１はほぼ透明となり、光入射面１１ａ側からレーベル面１１ｂを視認することが可能となる。尚、ビスマス（Ｂｉ）と酸素（Ｏ）を主成分とする記録層は、酸素の割合を６３原子％以上とすれば透明となる。
【００２２】
一方、図２（ｂ）に示すように、ＤＶＤ型ディスクは、一方の面が光入射面１１ａとなる厚さ約０．６ｍｍの光透過性基板３１と、一方の面がレーベル面１１ｂとなる厚さ約０．６ｍｍのダミー基板３２と、光透過性基板３１の他方の面に設けられた機能層３３と、機能層３３を覆う保護層３４と、光透過性基板３１、機能層３３及び保護層３４からなる積層体とダミー基板３２とを接着する接着層３５とを備えている。したがって、ディスク本体１１として図２（ｂ）に示すＤＶＤ型のディスクを用いる場合、ダミー基板３２の表面（レーベル面１１ｂ）に目盛り表示１１ｃが設けられることになる。
【００２３】
光透過性基板３１の材料としては、可視光領域において透明であるとともに、レーザビームの波長領域（例えば約６５０ｎｍ）において透明な材料を用いる必要があり、ダミー基板３２の材料としては、可視光領域において透明である必要がある。このような材料としては、ポリカーボネート樹脂やポリオレフィン樹脂など、支持基板２１の好ましい材料として挙げた材料を選択すればよい。また、保護層３４や接着層３５の材料についても、紫外線硬化性樹脂など、可視光領域において透明な材料を選択する必要がある。機能層３３の構造や材料は、次世代型の光記録媒体と同様、ディスクの種類によって異なるが、ＤＶＤ−Ｒ等の追記型のＤＶＤ型ディスクでは、記録層の材料として一般に有機色素が用いられることから、本発明を追記型のＤＶＤ型ディスクに適用することは困難であると考えられる。
【００２４】
特に限定されるものではないが、本発明において、ディスク本体１１は次世代型の追記型ディスクまたは書き換え型ディスクを選択することが最も好ましい。これは、記録密度の高い次世代型の光記録媒体は要求される反射率が低く、また、追記型ディスクや書き換え型ディスクの場合には未記録容量が変化するからである。また、記録領域と未記録領域との境界が視認可能である限り、ディスク本体１１として次世代型の再生専用ディスクを採用しても構わない。この場合、支持基板２１のうちレーベル面１１ｂとなる面とは反対側の面には、螺旋状又は同心円状にピット列が形成され、これによってデータが保持されることになる。
【００２５】
次に、ディスク本体１１のレーベル面１１ｂ側に設けられる目盛り表示１１ｃについて説明する。
【００２６】
図１に示したように、目盛り表示１１ｃはディスク本体１１の径方向に沿って所定の間隔をもって設けられた複数のマークによって構成されており、記録領域と未記録領域との視認可能な境界に基づいて、記録容量に関する情報及び空き容量に関する情報の一方又は両方を目視により判断可能に構成されている。
【００２７】
例えば、記録容量に関する情報を表示するのであれば、切り欠き図である図６に示すように、目盛り表示１１ｃを構成する各マークに所定の数字を付加することにより、記録されたコンテンツのサイズを表示すればよい。その他、記録されたコンテンツの収録時間を表示したり、記録割合を表示したりすることも可能である。ここで、コンテンツとは、音楽データ、映像データ、ファイルデータ、プログラム等である。図６に示す例では、記録領域１７と未記録領域１８との境界１９に基づき、記録されたコンテンツのサイズが２０ＧＢ（ギガバイト）弱であることを確認することができる。
【００２８】
また、空き容量に関する情報を表示するのであれば、切り欠き図である図７に示すように、目盛り表示１１ｃを構成する各マークに所定の数字を付加することにより、記録可能なコンテンツのサイズを表示すればよい。その他、収録可能なコンテンツの時間を表示したり、未記録割合を表示したりすることも可能である。図７に示す例では、記録領域１７と未記録領域１８との境界１９に基づき、記録可能なコンテンツのサイズが１５ＧＢ（ギガバイト）強であることを確認することができる。
【００２９】
もちろん、これらの表示を組み合わせることも可能であり、一例として、図８には記録されたコンテンツのサイズと収録時間の両方を表示する例が示されている。その他、記録されたコンテンツのサイズと記録可能なコンテンツのサイズの両方を表示しても構わないし、複数の目盛り表示１１ｃを用いてそれぞれ異なる情報を表示しても構わない。
【００３０】
目盛り表示１１ｃは、例えばインク材料を用いた印刷により形成することができる。目盛りのデザインとしては、図６乃至図８に示したように、径方向に所定の間隔をもって設けた複数のマークによって構成しても構わないし、図示しないが同心円状の複数の円によって構成しても構わない。目盛りの間隔は、それぞれの目盛り間の容量が等しくなるように設定することが好ましい。したがって、外周部ほど径方向の距離に対する記録密度が高くなるような記録フォーマットを使用する場合には、外周部ほど間隔が狭くなる目盛り表示とすればよい。
【００３１】
また、図６乃至図８では、データが光記録媒体の内周側から外周側へ記録される場合を例に示したが、データが外周側から内周側へ記録される場合には、目盛り表示１１ｃに付加する数字の並びを逆転させればよい。
【００３２】
尚、本実施形態による光記録媒体１０では、光入射面１１ａ及びレーベル面１１ｂのいずれからでも目盛り表示１１ｃ及び境界１９が視認可能である。したがって、目盛り表示１１ｃに付する数字やその説明（「記録容量（ＧＢ）」など）の向きとしては、光入射面１１ａから見た場合には正しく見え、レーベル面１１ｂから見た場合には反転して見えるような向きであっても構わないし、その逆であっても構わない。
【００３３】
以上説明したように、本実施形態による光記録媒体１０は、ディスク本体１１を一見するだけで記録容量に関する情報や空き容量に関する情報を容易に把握することができる。また、ディスク本体１１の透明度が極めて高い場合には、表裏の識別が困難となり、ドライブに光記録媒体を誤って裏返しに挿入するといった危険性を生じさせる可能性があるが、本実施形態による光記録媒体１０は、レーベル面１１ｂに目盛り表示１１ｃが設けられていることから、ディスクの表裏を容易に把握することができる。
【００３４】
図９は、本発明の好ましい他の実施形態による光記録媒体の外観を模式的に示す切り欠き斜視図である。
【００３５】
図９に示すように、本実施形態による光記録媒体４０は、目盛り表示１１ｃが設けられた光ディスク本体１１のレーベル面１１ｂにさらに第１の印刷層１２が設けられている点において、上記実施形態による光記録媒体１０と異なる。その他の点については光記録媒体１０と同様であることから、同じ要素には同じ符号を付し、重複する説明は省略する。
【００３６】
第１の印刷層１２は、インク等によって構成される層であり、目盛り表示１１ｃの視認性を高めるための下地層としての役割を果たす。よって、第１の印刷層１２の印刷内容については特に限定されないが、少なくとも、目盛り表示１１ｃを覆う部分については白などの単色とすることが好ましい。第１の印刷層１２は目盛り表示の背景となることから、目盛り表示１１ｃとのコントラスト比の高い色とすれば、光入射面１１ａ側から目盛り表示１１ｃをはっきりと視認することができるようになる。
【００３７】
なお、目盛り表示１１ｃは、第１の印刷層１２のデザインの一部として設けても構わない。つまり、目盛り表示１１ｃを覆うように第１の印刷層１２を別途設けるのではなく、第１の印刷層１２の一部デザイン自体を目盛り表示１１ｃとしても構わない。これによれば、上記の効果に加え、目盛り表示１１ｃを独立して印刷する工程を省略することができる。
【００３８】
また、第１の印刷層１２を目盛り表示１１ｃが設けられている領域周辺で切り欠いても構わない。この場合、光入射面１１ａから見た目盛り表示１１ｃのコントラストは上記実施形態と変わらないが、レーベル面１１ｂに所望のデザインを与えつつ、レーベル面１１ｂ側からも記録容量に関する情報や空き容量に関する情報を視認することが可能となる。
【００３９】
図１０は、本発明の好ましいさらに他の実施形態による光記録媒体の外観を模式的に示す切り欠き斜視図である。
【００４０】
図１０に示すように、本実施形態による光記録媒体５０は、目盛り表示１１ｃが設けられた光ディスク本体１１のレーベル面１１ｂ上にさらに第１の印刷層１２および第２の印刷層１３が設けられている点において、上記実施形態による光記録媒体１０と異なる。その他の点については光記録媒体１０と同様であることから、同じ要素には同じ符号を付し、重複する説明は省略する。
【００４１】
第１の印刷層１２及び第２の印刷層１３は、いずれもインク等によって構成される層であり、このうち第１の印刷層１２は、光入射面１１ａ側から視認するために設けられ、第２の印刷層１３は、光入射面１１ａとは反対側から視認するために設けられている。これにより、光記録媒体１０の表と裏で異なるデザインとすることが可能となる。
【００４２】
第１の印刷層１２及び第２の印刷層１３の印刷内容については特に限定されず、例えば、第１の印刷層１２の全面に単色（白など）を印刷し、第２の印刷層１３に所定のデザインを印刷するという方法も考えられる。第１の印刷層１２は目盛り表示１１ｃの背景となることから、目盛り表示１１ｃの視認性を高めるような配色とすれば、光入射面１１ａ側から目盛り表示１１ｃをはっきりと視認することができるようになるとともに、レーベル面１１ｂ側からも第２の印刷層１３に印刷されたデザインをはっきりと視認することができるようになる。したがって、ディスク本体１１がほぼ透明であるにもかかわらず、レーベル面側については従来の光記録媒体とほぼ同様のデザインを確保することができ、さらに、光入射面側からは記録容量に関する情報や空き容量に関する情報を容易に把握することができる。
【００４３】
第２の印刷層には、種々のデザインを印刷される。例えば、本実施形態による光記録媒体１０に映画が収録されているとすれば、第２の印刷層１３には映画のタイトルや出演者を印刷するといったデザイン案が考えられる。また、音楽が収録されているとすれば、第２の印刷層１３には音楽のタイトルやアーチスト名などを印刷するといったデザイン案も考えられる。このように、第１の印刷層１２の印刷内容と第２の印刷層１３の印刷内容を異ならせることができることから、従来困難であった表裏で異なるデザインを実現することが可能となる。
【００４４】
以上説明したように、本実施形態による光記録媒体５０は、ほぼ透明なディスク本体１１のレーベル面１１ｂ側に２つの印刷層（１２，１３）が設けられていることから、光記録媒体５０の表と裏で異なるデザインとすることができる。このため、記録容量に関する情報や空き容量に関する情報を容易に把握することが可能となるばかりでなく、デザイン性を高めることが可能となり、ディスク本体１１がほぼ透明であるにもかかわらず、表裏を容易に識別することも可能となる。尚、本実施形態においても、２つの印刷層（１２，１３）を目盛り表示１１ｃが設けられている領域周辺で切り欠いても構わない。
【００４５】
本発明は、以上説明した実施の形態に限定されることなく、特許請求の範囲に記載された発明の範囲内で種々の変更が可能であり、それらも本発明の範囲内に包含されるものであることはいうまでもない。
【００４６】
例えば、上記各実施形態にかかる光記録媒体１０，４０，５０は、いずれも厚さが約１．２ｍｍ、直径が約１２０ｍｍの円盤状であるが、本発明の適用が可能なディスクがこれに限定されるものではない。また、その外形が円盤状であることも必須でなく、光入射面１１ａやレーベル面１１ｂが矩形状であっても構わない。
【実施例】
【００４７】
以下、本発明の実施例について説明するが、本発明はこの実施例に何ら限定されるものではない。
【００４８】
［実施例１］
【００４９】
以下の方法により、図２（ａ）に示したディスク本体１１と同じ構造を有するディスク本体と、ディスク本体のレーベル面に設けられた目盛り表示とを備える光記録媒体を作製した。
【００５０】
まず、射出成型法により、厚さ約１．１ｍｍ、直径約１２０ｍｍであり、表面にランド及びグルーブが形成されたポリカーボネートからなるディスク状の支持基板を作製した。グルーブの深さについては約２１ｎｍに設定し、グルーブの幅については約１６９ｎｍに設定した。トラックピッチは約３２０ｎｍに設定した。
【００５１】
次に、この支持基板をスパッタリング装置にセットし、ＺｎＳとＳｉＯ２を主成分とする混合ターゲットとマグネシウム（Ｍｇ）を主成分とするターゲットの両方を用いて、ランド及びグルーブが形成されている側の表面に厚さ３２ｎｍの記録層をスパッタリング法により成膜した。記録層中に含まれるＺｎ、Ｓｉ、Ｍｇ、Ｏ、Ｓの組成は、それぞれ２１．５、１０．１、２０．８、２０．１、２７．５原子％であった。組成の分析は、理学電機工業株式会社製蛍光Ｘ線分析装置ＺＳＸ１００ｅを用いて行った。
【００５２】
次に、記録層上に、アクリル系紫外線硬化性樹脂をスピンコート法によりコーティングし、これに紫外線を照射して厚さ約１００μｍの光透過層を形成した。
【００５３】
そして、ディスク本体のレーベル面に、記録容量に関する情報を示す目盛り表示を印刷した。これにより、実施例１の光記録媒体が完成した。完成した光記録媒体は、ほぼ透明であった。
【００５４】
この光記録媒体に対し、光入射面側から波長約４０５ｎｍのレーザビームを照射することによって、実際にデータを記録した。その結果、レーベル面側から記録領域と未記録領域との境界をはっきりと視認することができ、この境界と目盛り表示に基づき記録容量に関する情報を確認することができた。
【００５５】
［実施例２］
【００５６】
記録層の形成において、ＬａＳｉＯＮ（Ｌａ２Ｏ３，ＳｉＯ２及びＳｉ３Ｎ４の混合物）を主成分とする混合ターゲットと、マグネシウム（Ｍｇ）を主成分とするターゲットの両方を用いてスパッタリングを行った他は、実施例１と同様にして実施例２の光記録媒体を作製した。記録層の厚さは約３２ｎｍであり、記録層中に含まれるＬａ、Ｓｉ、Ｍｇ、Ｏ、Ｎの組成は、それぞれ６．２、２４．１、２３．１、２４．６、２２．０原子％であった。完成した光記録媒体は、実施例１の光記録媒体と同様、ほぼ透明であった。
【００５７】
そして、実施例２の光記録媒体に対し、光入射面側から波長約４０５ｎｍのレーザビームを照射することによって、実際にデータを記録した。その結果、レーベル面側から記録領域と未記録領域との境界をはっきりと視認することができ、この境界と目盛り表示に基づき記録容量に関する情報を確認することができた。
【００５８】
［実施例３］
【００５９】
記録層の形成において、ビスマス（Ｂｉ）を主成分とするターゲットを用い、アルゴンと酸素雰囲気下でスパッタリングを行った他は、実施例１と同様にして実施例３の光記録媒体を作製した。記録層の厚さは約４５ｎｍであり、記録層中に含まれるＢｉ、Ｏの組成は、それぞれ２７原子％、７３原子％であった。完成した光記録媒体は、実施例１の光記録媒体と同様、ほぼ透明であった。
【００６０】
そして、実施例３の光記録媒体に対し、光入射面側から波長約４０５ｎｍのレーザビームを照射することによって、実際にデータを記録した。その結果、レーベル面側から記録領域と未記録領域との境界をはっきりと視認することができ、この境界と目盛り表示に基づき記録容量に関する情報を確認することができた。
【図面の簡単な説明】
【００６１】
【図１】本発明の好ましい実施形態による光記録媒体１０の外観を模式的に示す切り欠き斜視図である。
【図２】ディスク本体１１の構造のいくつかの例を示す図であり、（ａ）は次世代型ディスク、（ｂ）はＤＶＤ型ディスクの断面をそれぞれ示している。
【図３】ＲＯＭ型ディスクにおける機能層２２の構成を示す略断面図である。
【図４】追記型ディスクにおける機能層２２の構成を示す略断面図である。
【図５】書き換え型ディスクにおける機能層２２の構成を示す略断面図である。
【図６】記録されたコンテンツのサイズを示す数字を目盛り表示１１ｃに付加した例を示す切り欠き図である。
【図７】記録可能なコンテンツのサイズを示す数字を目盛り表示１１ｃに付加した例を示す切り欠き図である。
【図８】記録されたコンテンツのサイズを示す数字及び記録されたコンテンツの収録時間を示す数字の両方を、目盛り表示１１ｃに付加した例を示す切り欠き図である。
【図９】本発明の好ましい他の実施形態による光記録媒体４０の外観を模式的に示す切り欠き斜視図である。
【図１０】本発明の好ましいさらに他の実施形態による光記録媒体５０の外観を模式的に示す切り欠き斜視図である。
【符号の説明】
【００６２】
１０，４０，５０  光記録媒体
１１        ディスク本体
１１ａ      光入射面
１１ｂ      レーベル面
１１ｃ      目盛り表示
１２        第１の印刷層
１３        第２の印刷層
１４        中心孔
１７        記録領域
１８        未記録領域
１９        記録領域と未記録領域の境界
２１        支持基板
２２，３３  機能層
２２ａ      反射層
２２ｂ      記録層
２２ｃ      誘電体層
２３        光透過層
３１        光透過性基板
３２        ダミー基板
３４        保護層
３５        接着層
【図１】
2006031791.tif 000003
【図２】
2006031791.tif 000004
【図３】
2006031791.tif 000005
【図４】
2006031791.tif 000006
【図５】
2006031791.tif 000007
【図６】
2006031791.tif 000008
【図７】
2006031791.tif 000009
【図８】
2006031791.tif 000010
【図９】
2006031791.tif 000011
【図１０】
2006031791.tif 000012